(57)【要約】【課題】  少ない作業量で切り込み深さを変更・調節可能な携帯用切断機の提供。【解決手段】  回動支持部とリンク６５とが設けられたベース６に対し回動支持部で回動可能に軸支されかつリンク６５で固定可能なソーカバー本体部４１に配置された規制部５であって、規制部５は凸部と斜面部と凹部とを有するワッシャ５２とワッシャ５２の凸部、斜面部、凹部に当接する突出部を有する回動操作部５３と基端に鍔部５１Ｂ、先端にナット５４が螺合され鍔部５１Ｂとナット５４の間にリンク６５とソーカバー本体部４１とワッシャ５２と回動操作部５３とが配置されたボルト５１とを備え、回動操作部５３の回動で突出部が斜面部上を移動して、回動操作部５３とワッシャ５２との間が拡開しワッシャ５２と鍔部５１Ａとでリンク６５とソーカバー本体部４１が狭持されてベース６からの丸のこ刃３の突出量が規定される携帯用切断機。【選択図】図７
2007223133.tif 000002
【特許請求の範囲】
【請求項１】
ハウジングと、
該ハウジングに内蔵されたモータと、
該モータにより駆動されて加工部材を切断する切断刃と、
該ハウジングに設けられて該切断刃の外周の略半分を覆うソーカバーと、
該ソーカバーを支持すると共に該加工部材に当接するベースと、
該切断刃が該ベースから反ソーカバー側に突出する突出量を変更可能な突出量変更機構とを備え、
該突出量変更機構は、該ソーカバーを回動可能に軸支する支持部と、該ソーカバーの該ベースに対する回動を固定、解除する規制部とを備え、
該規制部は、該ベースから該ソーカバーの回動方向に延び該ソーカバーと重合する調整ガイドと、該調整ガイドの該ソーカバーと重合する位置に設けられて該ソーカバーと該調整ガイドを互いに締結・解除可能な締結部とを有し、
該締結部は、該ソーカバーと該調整ガイドとが重なり合う方向であって該ソーカバー外に突出する軸部と、該軸部の軸心を中心として回動可能な回動操作部と、該回動操作部と当接関係にあり、該回動操作部の回動操作により該軸部を軸方向に移動させてソーカバーに該調整ガイドを付勢し該軸部の軸周りに回動不能な付勢部とから構成されていることを特徴とする携帯用切断機。
【請求項２】
該付勢部と該回動操作部とのいずれか一方には、略該軸方向であって他方側に突出する凸部と、該凸部から裾状に延びる斜面部とが該軸部周りに周方向に並んで配置され、
該付勢部と該回動操作部とのいずれか該他方には、略該軸方向であって該一方側に突出して該一方に当接する突出部を有し、該突出部が該斜面部上を摺動可能であることを特徴とする請求項１に記載の携帯用切断機。
【請求項３】
該凸部は、二個以上設けられていると共に該軸部周りに周方向に均等配置され、
該突出部は、該凸部に対応して二個以上設けられて該軸部周りに周方向に均等配置されていることを特徴とする請求項２に記載の携帯用切断機。
【請求項４】
該回動操作部は、該軸部周りに配置される胴部と、該胴部から該軸部と略直交する方向に延出されるレバー部とを備え、
該レバー部は、該突出部が該凸部近傍位置にある時に該切断刃を含む平面と略平行になる姿勢となるように設けられていることを特徴とする請求項２または請求項３のいずれかに記載の携帯用切断機。
【請求項５】
該回動操作部は、該軸部周りに配置される胴部と、該胴部から該軸部と略直交する方向に延出されるレバー部とを備え、
該モータは、該ソーカバーに対して該切断刃の一側面側に位置し、
該レバー部は、該回動操作部が回動して該突出部が該凸部近傍位置にある時に該一側面側に延出される姿勢となるように設けられていることを特徴とする請求項２または請求項３のいずれかに記載の携帯用切断機。
【請求項６】
該凸部は二個以上設けられていると共に該軸部周りに周方向に配置され、
該斜面部は、隣り合う一の該凸部と他の該凸部との間に、一の該凸部から裾状に延び該突出部が摺動可能な第一斜面部と、他の該凸部から裾状に延びると共に該第一斜面部と連続し該突出部が摺動可能な第二斜面部とから構成されること特徴とする請求項２乃至請求項５のいずれか一に記載の携帯用切断機。
【請求項７】
該付勢部は、該ソーカバー及び該調整ガイドとは別部材から構成されていることを特徴とする請求項１乃至請求項６のいずれか一に記載の携帯用切断機。
【請求項８】
該軸部は、少なくとも突出方向先端部分に雄ネジ部を有し、
該締結部は該雄ネジ部に螺合され該回動操作部の反ソーカバー側に位置するナットを有し、該ナットにより該回動操作部の該軸部の突出方向位置が規制されることを特徴とする請求項１乃至請求項７のいずれか一に記載の携帯用切断機。
【発明の詳細な説明】
【技術分野】
【０００１】
本発明は携帯用切断機に関し、特に切り込み深さを調整可能な携帯用切断機に関する。
【背景技術】
【０００２】
従来から、木材等の加工部材を切断・加工するための切断機を携帯可能とした携帯用切断機がある。この携帯用切断機は、主に丸のこ刃と駆動装置であるモータとから構成されているため携帯性に優れ、故に工場内に限らず建設現場等において多用されている。
【０００３】
携帯用切断機で切断する木材は、その厚さが多様であるため、厚い板材から薄い板材まで好適に切断できる必要がある。よって、特許文献１に示されるように、木材と当接するベースに対して丸のこ刃が支持されるソーカバーを回動可能とし、その回動量に応じてベースからの丸のこ刃の突出量を変更する技術が開示されている。
【特許文献１】特開２００４−３３０６５７号公報
【発明の開示】
【発明が解決しようとする課題】
【０００４】
特許文献１に示されている携帯用切断機においては、ネジを締めることにより、ベースに対してソーカバーを固定し、所定の突出量を規定している。しかし、ネジで固定する場合には、ねじを複数回回転させて固定・解除する必要があり、手間がかかって作業性を低下させていた。そこで本発明は、少ない作業量で切り込み深さを変更・調整可能な携帯用切断機を提供することを目的とする。
【課題を解決するための手段】
【０００５】
上記課題を解決するために本発明は、ハウジングと、該ハウジングに内蔵されたモータと、該モータにより駆動されて加工部材を切断する切断刃と、該ハウジングに設けられて該切断刃の外周の略半分を覆うソーカバーと、該ソーカバーを支持すると共に該加工部材に当接するベースと、該切断刃が該ベースから反ソーカバー側に突出する突出量を変更可能な突出量変更機構とを備え、該突出量変更機構は、該ソーカバーを回動可能に軸支する支持部と、該ソーカバーの該ベースに対する回動を固定、解除する規制部とを備え、該規制部は、該ベースから該ソーカバーの回動方向に延び該ソーカバーと重合する調整ガイドと、該調整ガイドの該ソーカバーと重合する位置に設けられて該ソーカバーと該調整ガイドを互いに締結・解除可能な締結部とを有し、該締結部は、該ソーカバーと該調整ガイドとが重なり合う方向であって該ソーカバー外に突出する軸部と、該軸部の軸心を中心として回動可能な回動操作部と、該回動操作部と当接関係にあり、該回動操作部の回動操作により該軸部を軸方向に移動させてソーカバーに該調整ガイドを付勢し該軸部の軸周りに回動不能な付勢部とから構成されている携帯用切断機を提供する。
【０００６】
上記構成の携帯用切断機において、該付勢部と該回動操作部とのいずれか一方には、略該軸方向であって他方側に突出する凸部と、該凸部から裾状に延びる斜面部とが該軸部周りに周方向に並んで配置され、該付勢部と該回動操作部とのいずれか該他方には、略該軸方向であって該一方側に突出して該一方に当接する突出部を有し、該突出部が該斜面部上を摺動可能であることが好ましい。
【０００７】
また該凸部は、二個以上設けられていると共に該軸部周りに周方向に均等配置され、該突出部は、該凸部に対応して二個以上設けられて該軸部周りに周方向に均等配置されていることが好ましい。
【０００８】
また該回動操作部は、該軸部周りに配置される胴部と、該胴部から該軸部と略直交する方向に延出されるレバー部とを備え、該レバー部は、該突出部が該凸部近傍位置にある時に該切断刃を含む平面と略平行になる姿勢となるように設けられていても良いし、該モータは、該ソーカバーに対して該切断刃の一側面側に位置し、該レバー部は、該回動操作部が回動して該突出部が該凸部近傍位置にある時に該一側面側に延出される姿勢となるように設けられていても良い。
【０００９】
また該凸部は二個以上設けられていると共に該軸部周りに周方向に配置され、該斜面部は、隣り合う一の該凸部と他の該凸部との間に、一の該凸部から裾状に延び該突出部が摺動可能な第一斜面部と、他の該凸部から裾状に延びると共に該第一斜面部と連続し該突出部が摺動可能な第二斜面部とから構成されることが好ましい。
【００１０】
また該付勢部は、該ソーカバー及び該調整ガイドとは別部材から構成されていることが好ましい。
【００１１】
また該軸部は、少なくとも突出方向先端部分に雄ネジ部を有し、該締結部は該雄ネジ部に螺合され該回動操作部の反ソーカバー側に位置するナットを有し、該ナットにより該回動操作部の該軸部の突出方向位置が規制されることが好ましい。
【発明の効果】
【００１２】
請求項１及び請求項２に記載の携帯用切断機によれば、操作箇所となる回動操作部を、例えば９０度や１８０度回動させることにより、通常の螺進退量よりも大きい移動量を確保して、軸部を軸方向に相対的に動かすことができるので、ベースに対するソーカバー等固定・解除を素早く行うことができる。よって回動操作部を、何回も回転させる必要なく、好適に所定の回動角度でソーカバーをベースに対して固定することができる。
【００１３】
請求項３に記載の携帯用切断機によれば、回動操作部と付勢部とのそれぞれの当接箇所となる突出部及び凸部が、複数個かつ均等配置されているため、回動操作部と付勢部とが軸方向に相対的に平行して移動することができる。よって回動操作部を操作した際に、付勢部等に係る力に偏りが発生しないため、締付け時に微妙に切り込み深さが変化してしまうことを抑制することができると共に関係部品の寿命を向上させることができる。
【００１４】
請求項４及び請求項５に記載の携帯用切断機によれば、レバー部が切断刃と略平行若しくは、モータ側に位置することにより、回動操作部において、反モータ側に突出する部分が無くなる。よってベースに対してソーカバーを傾動させた場合に、レバー部がベース等に当接することが無く、好適に傾動させることができる。
【００１５】
請求項６に記載の携帯用切断機によれば、回動操作部を軸部の軸周りの一方向、他方向の何れの方向に回した場合であっても、突出部が第一斜面部、第二斜面部の何れかの斜面部上を摺動して凸部近傍に位置することになりソーカバーと調整ガイドとを固定することができる。よって回動操作部の回動方向が何れの方向であってもソーカバーと調整ガイドとを固定することができる。
【００１６】
請求項７に記載の携帯用切断機によれば、力が掛かる箇所となる付勢部を、ソーカバーや調整ガイド等と別部材から構成することができるため、付勢部のみを耐久性、潤滑性の高い素材から構成することができる。
【００１７】
請求項８に記載の携帯用切断機によれば、回動操作部の位置がナットにより規定されるため、例えば凸部や突出部が摩耗により磨り減った場合であっても、容易に微調整を行い、好適な締め付け具合を保持することができる。
【発明を実施するための最良の形態】
【００１８】
本発明の実施の形態による携帯用切断機について図１乃至図１６に基づき説明する。図１及び図２に示される携帯用切断機である丸のこ１は、ハウジング２と、丸のこ刃３と、ソーカバー４と、ベース６とから主に構成されている。
【００１９】
ハウジング２は、モータ２Ａが収容されている収容部２１と、収容部２１と一体のハンドル部２２とから主に構成されている。またソーカバー４内には、モータ２Ａに駆動される図示せぬ駆動系が設けられ、この駆動系により丸のこ刃３が回転可能となっている。
【００２０】
図１に示されるように、ハンドル部２２には、モータ２Ａの駆動を制御する図示せぬスイッチと、図示せぬスイッチをＯＮ状態に保持するストッパ２２Ａとが設けられている。
【００２１】
ハウジング２においてハンドル部２２の反収容部２１側位置には、ソーカバー４が接続されて設けられている。図２に示されるように、ソーカバー４は、ハウジング２と接続されるソーカバー本体部４１と、ソーカバー本体部４１に設けられたセーフティカバー４２とから主に構成されており、丸のこ刃３をカバーしている。
【００２２】
ソーカバー本体部４１は金属製であって、図２に示されるように丸のこ刃３の略半分を覆っている。ソーカバー本体部４１の周方向一端側には、後述の回動支持部６２と連結される連結部４１Ａが規定されている。ソーカバー本体部４１において、丸のこ刃３の側面と同一な平面と交わる位置にはリブ４１Ｂ（図１）が設けられている。図５（ａ）、図５（ｂ）に示されるように、周方向他端側には、リブ４１Ｂの延長線上に形成された略正方形の凹部である方溝部４１ａと、方溝部４１ａの底面部分に形成された貫通孔４１ｂとを有しており、この方溝部４１ａ及び貫通孔４１ｂ部分に、後述のガイド６５Ａをソーカバー本体部４１に対して締結・解除可能な締結部５が配置されている。方溝部４１ａの近傍であってリブ４１Ｂと略重なる位置には、ソーカバー本体部４１から突出する第一ストッパ４１Ｃが設けられている。また方溝部４１ａの近傍であって、ソーカバー本体部４１の端面部分となる位置には、ソーカバー本体部４１から第一ストッパ４１Ｃと略同じ方向に突出する第二ストッパ４１Ｄが設けられている。
【００２３】
ソーカバー本体部４１の円周方向他端側には、セーフティカバー４２がソーカバー本体部４１の外縁に沿って円周方向に回動可能に設けられている。ソーカバー本体部４１とセーフティカバー４２との間には、図示せぬバネが介在しており、ソーカバー本体部４１に対してセーフティカバー４２をソーカバー本体部４１の円周方向であって一端側から他端側へ向かう方向に付勢している。よって切断作業を行っていない状態では、セーフティカバー４２は、丸のこ刃３のソーカバー本体部４１で覆えない部分を他端側から一端側に向かって覆っている。従ってソーカバー本体部４１の一端側と、セーフティカバー４２との間には、丸のこ刃３が露出するところが形成され、この露出する部分が後述の木材Ｗを切断する部分となって、ソーカバー本体部４１の他端側から一端側にむけて丸のこ１は切り進んでいく。よってソーカバー本体部４１の他端側から一端側を切断方向と定義し、ソーカバー本体部４１の一端側を切断方向前側、他端側を切断方向後側と定義する。
【００２４】
図１に示されるように、ベース６は、ベース部材６１と、回動支持部６２と、第一ベベルプレート６３と、第二ベベルプレート６４と調整ガイドとなるリンク６５から主に構成され、ソーカバー４に関係してハウジング２と丸のこ刃３とソーカバー４とを回動及び傾動可能に支持している。ベース部材６１は、ベース６の主構成材であり金属製であって略長方形の板材より構成されている。ベース部材６１は長手方向が切断方向と一致するように配置され、その表面には長手方向に延びる長孔状の開口部６ａが形成されている。この開口部６ａに丸のこ刃３及びセーフティカバー４２が入るように、ベース部材６１が構成されている。
【００２５】
図１に示されるように、ベース部材６１において、開口部６ａの切断方向前側位置には、第二ベベルプレート６４と、回動支持部６２とが設けられている。図３に示されるように、第二ベベルプレート６４は、ベース部材６１上において切断方向と略直交する短手方向に直立して配設されており、切断方向に延びる第二傾動軸部６４Ａを備えている。また第二ベベルプレート６４には、第二傾動軸部６４Ａを中心とした円弧状の長孔６４ａが形成されている。
【００２６】
図１に示されるように、回動支持部６２は第二傾動軸部６４Ａにより傾動可能に軸支されている。回動支持部６２は切断方向後側に延出される一対の腕部を備え、その腕部には、切断方向と直交する方向を軸方向とする回動軸部６２Ａが設けられている。この回動軸部６２Ａにはソーカバー本体部４１の切断方向前側に位置する連結部４１Ａが軸支されている。
【００２７】
また回動支持部６２には、第二ベベルプレート６４の長孔６４ａを貫通し回動支持部６２に形成された図示せぬネジ穴に螺合するネジ６２Ｂが設けられている。このネジ６２Ｂを締め込むことにより、第二ベベルプレート６４に対する回動支持部６２の傾動角度を任意の角度で固定することができる。
【００２８】
図１及び図２に示されるように、ベース部材６１において、開口部６ａの切断方向後側位置には、第一ベベルプレート６３とリンク６５とが設けられている。図４に示されるように、第一ベベルプレート６３は、第二ベベルプレート６４と開口部６ａを挟んで略対称な形状に構成されており、第一傾動軸部６３Ａを中心とした円弧状の長孔６３ａが形成されている。また第二傾動軸部６４Ａの軸方向延長線上には、リンク６５を軸支する第一傾動軸部６３Ａが設けられている。
【００２９】
図６（ａ）、図６（ｂ）に示されるように、リンク６５は、略円弧状に延びるガイド６５Ａとガイド６５Ａの基端位置に設けられた基部６５Ｂとから主に構成されており、図７に示されるように、ソーカバー本体部４１の内部に内壁に沿って挿入されている。
【００３０】
図６（ａ）、図６（ｂ）に示されるように、ガイド６５Ａには、その長さ方向に延びる長孔６５ａと基端位置に開口する孔６５ｂが形成されている。長孔６５ａは後述のボルト５１が挿通されると共に摺動する箇所となり、孔６５ｂは第一傾動軸部６３Ａが挿入される箇所になる。基部６５Ｂには、円弧状孔６５ｃが形成されており、孔６５ｂから円弧状孔６５ｃまでの距離が、第一傾動軸部６３Ａから長孔６３ａまでの距離と略同じになるように、円弧状孔６５ｃが形成されている。この円弧状孔６５ｃと長孔６４ａを貫通してネジ部６３Ｂが設けられている。ネジ部６３Ｂにより、第一ベベルプレート６３に対するリンク６５の傾動角度を任意の角度で固定することができる。よって第一ベベルプレート６３と第二ベベルプレート６４とにより、リンク６５及び回動支持部６２を介してハウジング２及びソーカバー４を図３の左右方向に傾動させることが可能となっている。
【００３１】
また図１に示されるように、ベース部材６１の切断方向最先端位置であって、丸のこ刃３を含む平面が交わる位置には、切断位置を示す示唆部６７が設けられており、ベース部材６１の第二ベベルプレート６４等が設けられている面の反対面には、加工部材に当接する当接面６１Ａが規定されている。
【００３２】
図１及び図７に示される締結部５は、ボルト５１と、ワッシャ５２と、回動操作部５３と、ナット５４と、から主に構成さている。この締結部５とガイド６５Ａとから規制部が構成され、規制部と回動支持部６２とから丸のこ刃３の突出量変更機構が構成される。図８に示されるようにボルト５１は、軸部５１Ａと、軸部５１Ａの基端側に設けられた鍔部５１Ｂと、軸部５１Ａと鍔部５１Ｂとの間に位置し軸部５１Ａの軸方向と直交する断面が略正方形の方形部５１Ｃと、軸部５１Ａの先端部分に形成されたネジ部５１Ｄとを備えている。方形部５１Ｃの一辺の長さは、リンク６５の長孔６５ａの幅と略同じ長さに構成されている。ボルト５１は軸部５１Ａが長孔６５ａ及び貫通孔４１ｂを貫通すると共に、方形部５１Ｃが長孔６５ａ内に挿入されてソーカバー本体部及びリンク６５に設けられている。方形部５１Ｃが長孔６５ａ内に挿入されているため、ボルト５１は、軸部５１Ａの軸周りに回動不能となっている。
【００３３】
図９（ａ）、図９（ｂ）に示されるように、ワッシャ５２は、一面側に断面が略正方形の突出部である方突部５２Ａを有し、他面側に回動操作部５３と対向して当接する一対の凸部５２Ｂ、５２Ｂと、一対の凹部５２ｄ、５２ｄと、一対の凸部５２Ｂ、５２Ｂと、一対の凹部５２ｄ、５２ｄとの間にそれぞれ規定される複数の斜面部５２Ｃとを備えている。またワッシャ５２の略中央位置には、一面側から他面側に貫通する貫通孔５２ａが形成されている。一対の凸部５２Ｂ、５２Ｂと、一対の凹部５２ｄ、５２ｄとの間にそれぞれ規定される複数の斜面部５２Ｃとは、貫通孔５２ａ周りに周方向に均等配置されている。
【００３４】
方突部５２Ａは、その正方形の一辺の長さが、方溝部４１ａ内面の一辺の長さと略同じに形成されている。よって図７に示されるように、ワッシャ５２を方突部５２Ａが方溝部４１ａと嵌合する様にソーカバー本体部４１に取り付けることにより、ワッシャ５２は貫通孔５２ａの軸周りに回転不能にソーカバー本体部４１に保持され、貫通孔５２ａ内にボルト５１の軸部５１Ａが挿通される。またワッシャ５２は、ソーカバー本体部４１やガイド６５Ａ等と別体に構成されている。よってその素材も軸受素材である含浸素材等の耐久性、潤滑性の高い素材から構成することができる。
【００３５】
回動操作部５３は、図１０に示されるように、胴部５３Ａと、レバー５３Ｂとから主に構成されている。胴部５３Ａは、一面側から他面側に貫通する貫通孔５３ａが形成されると共に、一面側であって貫通孔５３ａの周りにワッシャ５２と対向して当接する一対の突出部５３Ｃ、５３Ｃが設けられている。一対の突出部５３Ｃ、５３Ｃは、貫通孔５３ａの周りに周方向に均等配置されている。また胴部５３の一面側であって突出部５３Ｃの近傍かつ貫通孔５３ａから離れた位置には、突出部５３Ｃと略同じ方向に突出する突起５３Ｄが設けられている。レバー５３Ｂは、胴部５３の側面部分から貫通孔５３ａの軸方向と略直交する方向に延出されている。
【００３６】
回動操作部５３は、一対の突出部５３Ｃ、５３Ｃがワッシャ５２の一対の凹部５２ｄ、５２ｄと当接するように、ワッシャ５２上に配置され、貫通孔５３ａ内にボルト５１の軸部５１Ａが挿通される。この場合に突起５３Ｄは、第一ストッパ４１Ｃと第二ストッパ４１Ｄとの間（図５（ａ））に配置される。
【００３７】
貫通孔５３ａを貫通したネジ部５１Ｄに平ワッシャ５４Ａが設けられて、その平ワッシャ５４Ａの上にナット５４が螺合される。よって鍔部５１Ｂからナット５４の間に、ガイド６５Ａ、ソーカバー本体部４１、ワッシャ５２、回動操作部５３、及び平ワッシャ５４Ａが配置される。
【００３８】
丸のこ刃３の当接面６１Ａからの突出量を変更する際には、回動支持部６２の回動軸部６２Ａを支点としてハウジング２及びソーカバー４を回動させる。この時にハウジング２及びソーカバー４はガイド６５Ａとソーカバー本体部４１との間の摺動により、ベース６に対して回動軸部６２Ａを中心に図２の上下方向に回動する。これにより当接面６１Ａからの丸のこ刃３の突出量が変化する（図１１）。
【００３９】
突出量を変化させた状態でベース６に対するハウジング２及びソーカバー４の位置を固定するには、図１２に示されるように、回動操作部５３を回動させる。具体的には、レバー５３Ｂを、延出方向がリブ４１Ｂの方向と略平行になるように、図４において紙面上時計回りに回動させる。レバー５３Ｂがリブ４１Ｂと略平行となることにより、レバー５３Ｂがソーカバー４からハウジング２側及び反ハウジング２側から突出することを抑制することができる。よってベース６に対してソーカバー４を傾動させる際にレバー５３Ｂが障害となって傾動作業に影響を与えることが抑制され、ベース６に対してソーカバー４を傾動させた状態での切断作業に影響を与えることが抑制される。
【００４０】
回動操作部５３を回動させるに際し、図１３に示されるように、回動前の回動操作部５３では、一対の突出部５３Ｃ、５３Ｃと凹部５２ｄ、５２ｄとがそれぞれ対向して回動操作部５３とワッシャ５２とが当接している。回動操作部５３を回動させることによって、図１４に示されるように、突出部５３Ｃは斜面部５２Ｃ上を摺動して凸部５２Ｂ近傍位置へ移動する。尚、回動操作部５３において、突起５３Ｄが第一ストッパ４１Ｃと第二ストッパ４１Ｄとの間（図９（ａ））に配置されているため、その回動は規制され、具体的には、突出部５３Ｃが凸部５２Ｂを越えない程度に規制されている。
【００４１】
突出部５３Ｃ及び凸部５２Ｂはそれぞれ複数個かつ均等配置されているため、回動操作部５３の回動により、回動操作部５３とワッシャ５２とは平行かつ相対的に離間するように軸方向に移動する。よって、図１２に示されるように、ボルト５１の軸方向において、回動操作部５３のナット５４側端部からワッシャ５２のソーカバー本体部４１側端部までの距離は、回動前（図７）の距離より長くなる。
【００４２】
しかしナット５４の端面から鍔部５１Ｂの端面までの距離は回動操作部５３の回動の前後において変化しないため、回動操作部５３からワッシャ５２までの距離が長くなることによって、ワッシャ５２から鍔部５１Ｂまでの距離は短くなる。その結果、鍔部５１Ｂによってガイド６５Ａがソーカバー本体部４１側に付勢されることになり、ソーカバー本体部４１とガイド６５Ａとがワッシャ５２と鍔部５１Ｂとにより狭持されて固定される。故に、ベース６に対するハウジング２及びソーカバー４の位置が固定されることになり、当接面６１からの丸のこ刃３の突出量が固定される。よって回動操作部５３を何回も回転させる必要はなく、回動操作部５３の回動操作のみで好適に所定の回動角度でハウジング２及びソーカバー４をベース６に対して固定することができる。ソーカバー本体部４１とガイド６５Ａとの固定に際し、ワッシャ５２の移動量は、通常の螺進退量よりも大きい移動量が確保されるため、軸部５１Ａに対してワッシャ５２を、方向に相対的に大きく動かすことができるので、ベース６に対するソーカバー４等固定・解除を素早く行うことができる。
【００４３】
二個以上の凸部５２Ｂを周方向に均等に配置した構成としたため、回動操作部５３とワッシャ５２とが軸方向に相対的に平行して移動し、回動操作部５３を操作した際に、ワッシャ５２等に係る力に偏りが発生しないため、締結部５にガタ等が発生せず、ソーカバー本体部４１とガイド６５Ａとを好適に締め付けて固定することができる。また回動操作部５３の位置がナット５４により規定されるため、例えば凸部５２Ｂや突出部５３Ｃが摩耗により磨り減った場合であっても、容易に微調整を行い、好適な締め付け具合を保持することができる。
【００４４】
本実施の形態では、回動操作部５３に突起５３Ｄを設けて、その回動角度を規制したがこれに限らず、突起５３Ｄを設けない構成としても良い。この場合に、回動操作部５３が、時計回り、反時計回りの何れの方向に回ったとしても、一方の斜面部５２Ｃ（第一斜面部）若しくは他方の斜面部５２Ｃ（第二斜面部）上を摺動し、一対の凸部５２Ｂのいずれかの近傍に位置することになり、回動操作部５３とワッシャ５２とが平行かつ相対的に離間するため、ソーカバー本体部４１とガイド６５Ａとを好適に締結することができる。
【００４５】
尚、本発明の携帯用切断機は、上記した実施の形態に限定されず、特許請求の範囲内において種々変更を加え得ることは勿論である。例えば図１５に示されるように、ワッシャ１５２において、一対の段部１５２Ａ、１５２Ａを設けて段部１５２Ａの上部を凸部１５２Ｂ、段部１５２Ａの下部を凹部１５２ｄと規定し、一方の段部１５２Ａの凸部１５２Ｂから他方の段部１５２Ａの凹部１５２ｄを結ぶ面を斜面部１５２Ｃと規定する。同様に回動操作部１５３においても、図１６に示されるように同様の一対の段部１５３Ａを設け、段部１５３Ａの上部を突出部１５３Ｂと規定する。そして突出部１５３Ｂと凹部１５２ｄとが対向するように、回動操作部１５３とワッシャ１５２とを当接させる。このような構成により、図示せぬボルトの軸周りの一方に回動させる場合には、ワッシャ１５２の段部１５２Ａと回動操作部１５３の段部１５３Ａとが引っ掛かって回動不能となり、他方に回動させる場合には、引っ掛からずに、突出部１５３Ｂが斜面部１５２Ｃ上を摺動し、回動操作部１５３とワッシャ１５２とを平行かつ相対的に離間することができる。
【００４６】
また本実施の形態では、回動操作部に突出部が設けられ、ワッシャに凹部及び凸部が備えられているが、これに限らず、回動操作部に凹部及び凸部が備えられ、ワッシャに突出部が設けられた構成をとっても良い。また軸部はガイドに対して回動不能に支持されているがこれに限らず、回動可能に支持されていても良い。この場合、回動操作部と回動軸とが共周りする構成を採ることができ、回動操作部と回動軸とを一体に構成することができる。
【図面の簡単な説明】
【００４７】
【図１】本発明の実施の形態に係る携帯用切断機の平面図。
【図２】本発明の実施の形態に係る携帯用切断機の反ハウジング側の側面図。
【図３】本発明の実施の形態に係る携帯用切断機の正面図。
【図４】本発明の実施の形態に係る携帯用切断機の背面図。
【図５】本発明の実施の形態に係る携帯用切断機のソーカバーの（ａ）背面図、（ｂ）切断方向後側における側断面詳細図。
【図６】本発明の実施の形態に係る携帯用切断機のリンクの（ａ）平面図、（ｂ）VI-VI断面に沿った断面図。
【図７】本発明の実施の形態に係る携帯用切断機の連結部周辺を表す側断面図。
【図８】本発明の実施の形態に係る携帯用切断機のボルトを表す斜視図。
【図９】本発明の実施の形態に係る携帯用切断機のワッシャを表す（ａ）正面斜視図、（ｂ）背面斜視図。
【図１０】本発明の実施の形態に係る携帯用切断機の回動操作部を表す（ａ）正面斜視図、（ｂ）背面斜視図。
【図１１】本発明の実施の形態に係る携帯用切断機の丸のこ刃の突出量を変化させた状態での反ハウジング側の側面図。
【図１２】本発明の実施の形態に係る携帯用切断機でソーカバー本体部とガイドとを締結した状態での連結部周辺を表す側断面図。
【図１３】本発明の実施の形態に係る携帯用切断機のワッシャと回動操作部を表す平面図。
【図１４】本発明の実施の形態に係る携帯用切断機において回動操作部を回動させた状態のワッシャと回動操作部を表す平面図。
【図１５】本発明の実施の形態に係る携帯用切断機の変更例に係るワッシャの斜視図。
【図１６】本発明の実施の形態に係る携帯用切断機の変更例に係る回動操作部の斜視図。
【符号の説明】
【００４８】
１・・丸のこ  ２・・ハウジング  ２Ａ・・モータ  ３・・丸のこ刃  ４・・ソーカバー
５・・締結部  ６・・ベース  ６ａ・・開口部  ２１・・収容部  ２２・・ハンドル部
２２Ａ・・ストッパ  ４１・・ソーカバー本体部  ４１Ａ・・連結部  ４１Ｂ・・リブ
４１Ｃ・・第一ストッパ  ４１Ｄ・・第二ストッパ  ４１ａ・・方溝部
４１ｂ・・貫通孔  ４２・・セーフティカバー  ５１・・ボルト  ５１Ａ・・軸部
５１Ｂ・・鍔部  ５１Ｃ・・方形部  ５１Ｄ・・ネジ部  ５２・・ワッシャ
５２Ａ・・方突部  ５２Ｂ・・凸部  ５２Ｃ・・斜面部  ５２ａ・・貫通孔
５２ｄ・・凹部  ５３・・回動操作部  ５３Ａ・・胴部  ５３Ｂ・・レバー
５３Ｃ・・突出部  ５３Ｄ・・突起  ５３ａ・・貫通孔  ５４・・ナット
５４Ａ・・平ワッシャ  ６１・・ベース部材  ６１Ａ・・当接面  ６２Ｂ・・ネジ
６２・・回動支持部  ６２Ａ・・回動軸部  ６３・・第一ベベルプレート
６３Ａ・・第一傾動軸部  ６３Ｂ・・ネジ部  ６３ａ・・長孔
６４・・第二ベベルプレート  ６４Ａ・・第二傾動軸部  ６４ａ・・長孔
６５・・リンク  ６５Ａ・・ガイド  ６５Ｂ・・基部  ６５ａ・・長孔
６５ｂ・・円弧状孔６５ｃ・・孔  ６７・・示唆部
【図１】
2007223133.tif 000003
【図２】
2007223133.tif 000004
【図３】
2007223133.tif 000005
【図４】
2007223133.tif 000006
【図５】
2007223133.tif 000007
【図６】
2007223133.tif 000008
【図７】
2007223133.tif 000009
【図８】
2007223133.tif 000010
【図９】
2007223133.tif 000011
【図１０】
2007223133.tif 000012
【図１１】
2007223133.tif 000013
【図１２】
2007223133.tif 000014
【図１３】
2007223133.tif 000015
【図１４】
2007223133.tif 000016
【図１５】
2007223133.tif 000017
【図１６】
2007223133.tif 000018